(57)【要約】 【課題】挺子と鉗子の機能を一つの器具で併せ持つようにした抜歯器具を提供する。【解決手段】対をなして基端部から上方に延伸し、かつ左右に配置される両握り部１１，１２の先端部に対向する抜歯作用部１８が設けられ、両握り部を手で握れば、基端部の弾性に抗して対向する両抜歯作用部１８が互いに接近し、手を緩めると基端部の弾性の復元力により両抜歯作用部１８が互いに離隔し、所定間隔を保持し得る抜歯器具１０であって、抜歯作用部１８はその先端側に挺子作用部１４とこれに連続する鉗子作用部１６とを備え、挺子作用部１４は歯と歯槽骨との間に押し込み得る鋭利な先端部を有し、鉗子作用部１６は歯をその軸線に沿って挟持するための挟持部とを備えると共に前記挺子作用部１４と鉗子作用部１６は歯に沿い得る断面が円弧状の凹部１９が形成され、さらに両挺子作用部１４は先端部が互いに接近する方向に若干内側に傾斜するように構成した。    【選択図】        図１
2012029897.tif 000002
【特許請求の範囲】
【請求項１】
対をなして基端部から上方に延伸し、かつ左右に配置されるようにした両握り部は基端部側で一体に連結されると共に、両握り部の先端部にはそれぞれ互いに対向する抜歯作用部が設けられ、両握り部を手で握ることにより、基端部の弾性に抗して対向する両抜歯作用部が互いに接近し、手を緩めると基端部の弾性の復元力により両抜歯作用部が互いに離隔し、所定間隔を保持するようにした抜歯器具であって、抜歯作用部はその先端側に位置する挺子として作用する挺子作用部と該挺子作用部に連続して形成される鉗子として作用する鉗子作用部とを備え、挺子作用部は歯牙と歯槽骨との間に押し込み得る鋭利な先端部を有し、鉗子作用部は歯牙をその軸線に沿って挟持するための挟持部とを備えると共に前記挺子作用部と鉗子作用部は歯に沿い得るように内向きに断面が円弧状の凹部が形成され、かつ抜歯作用部の横幅は大、中、小のサイズのうちのいずれかである抜歯器具。    
【請求項２】
請求項１記載の抜歯器具において、両挺子作用部はその先端部が歯頸を越えて歯根側を把持し得ると共に歯根膜腔に押し込み得るように前記先端部が互いに接近する方向に若干内側に傾斜するようにした抜歯器具。                  
【請求項３】
請求項１もしくは２記載の抜歯器具において、 抜歯作用部の幅は大、中、小のサイズがそれぞれ４〜５ｍｍ、３〜４ｍｍ、２〜３ｍｍとされている抜歯器具。
【請求項４】
請求項１〜３のいずれか１項に記載の抜歯器具において、抜歯器具自体はその中間部より先端側が左側もしくは右側に傾斜するようにした抜歯器具。
【請求項５】
請求項４記載の抜歯器具において、抜歯器具自体の先端側が左側もしくは右側に傾斜した角度は約２０〜３０度である抜歯器具。
【請求項６】
請求項１〜３のいずれか１項に記載の抜歯器具において、抜歯器具自体はその中間部で先端側が手前側もしくは背後側に傾斜するようにした抜歯器具。
【請求項７】
請求項６に記載の抜歯器具において、抜歯器具自体の中間部より先端側が手前側もしくは背後側へ傾斜した角度は約４５度である抜歯器具。
【請求項８】
請求項１〜３のいずれか１項記載の抜歯器具において、抜歯器具自体はその中間部で左側もしくは右側に湾曲すると共にその先端部はさらに手前側もしくは背後側に傾斜するようにした抜歯器具。
【請求項９】
請求項８項記載の抜歯器具において、抜歯器具自体の全長の１／４の先端部側が左側もしくは右側に約１０度湾曲すると共にその先端部側は手前側もしくは背後側に約４５度傾斜するようにした抜歯器具。
【請求項１０】
請求項１〜９項のいずれか１項に記載の抜歯器具において、抜歯器具自体は左側の握り部を中間部で２分した上側の部材と、右側の握り部を中間部で２分した上側の部材と、左右の両握り部をそれぞれ中間部で２分した下側の基端部側で弾性を有する別部材とを含み、かつこれらが一体に接合されるようにした抜歯器具。
【請求項１１】
請求項１〜１０のいずれか１項に記載の抜歯器具において、一体に構成された両握り部に代えて両握り部は基端部で２分されると共に、両握り部は基端部側で互いに回動可能に連結されて先端部が左右に開閉可能となり、さらに両握り部間にばね部材を配置し、両握り部先端の抜歯作用部が互いに離隔する方向に付勢すると共に両握り部間に回動を限定する部分を設けて両抜歯作用部間が所定間隔を保持するようにした抜歯器具。
【請求項１２】
請求項１１に記載の抜歯器具において、両握り部はそれぞれの基端部に設けた孔に共通するピンを挿入することにより互いに回動可能に連結され、あるいは基端部側に設けたヒンジにより回動可能に連結されるようにした抜歯器具。
【請求項１３】
請求項１１もしくは１２記載の抜歯器具において、両握り部間のばね部材の配置を中止し、両握り部先端の抜歯作用部が互いに離隔する方向に付勢されることがないように構成した抜歯器具。
【請求項１４】
請求項１１〜１３のいずれか１項に記載の抜歯器具において、対をなす両握り部は基端部側が太く先端側が細くされた握り部本体の先端部に抜歯作用部が設けられてなり、かつ両握り部は基端部側で回動可能に連結されてなる抜歯器具。
【請求項１５】
請求項１４記載の抜歯器具において、握り部本体の先端部に別部材からなる抜歯作用部のチップを取り付けるようにした抜歯器具。
【発明の詳細な説明】
【技術分野】
【０００１】
本発明は抜歯器具の改良に関するものであり、特に従来より使用されている抜歯用の挺子と鉗子の機能を一つの器具で併せ持つようにした抜歯器具に関するものである。
【背景技術】
【０００２】
従来より歯科の抜歯施術は、挺子の先端部を歯牙と歯槽骨との間の歯根膜腔に挿入し、楔作用、てこ作用あるいは挺子自体の軸心廻りに正逆方向に少し宛交互に回転する、いわゆる輪軸作用により、またこれらを交互に繰り返すことにより歯槽を拡げ脱臼を図る方法、鉗子を用いて歯牙の長軸に沿う方向に歯冠を把持し、近心方向と遠心方向とに少し宛交互に振動させて行うてこ作用により、さらに歯軸の軸心廻りに正逆方向に少し宛交互に回転する、いわゆる輪軸作用により、あるいはこれらを交互に繰り返してて脱臼させる方法、さらには挺子と鉗子を交互に持ち替えて使用し脱臼をすすめ、鉗子により歯を除去する方法等により行うのが通例である。
【０００３】
ところが、挺子は把柄部から延びる支柱軸の先端に刃を有する嘴部を設け、片手で把柄部を握って使用するようにしたもので、嘴部を歯根膜腔に刺し差し込む際、先端部を支持し案内するものがないので、不安定でときには先端部が滑脱し、周辺の口腔粘膜等の軟組織や歯槽骨を損傷する等怪我の危険性があるという問題点がある。
【０００４】
また、鉗子はやっとこ型をなし、先端部の把持する力の作用点と他端部の手の握り力の作用点との間が遠くなり勝ちで、先端部の把持する力を微妙に調節することが困難であるという問題点があり、また、先端部の把持する力の反力を手元で敏感に感得することができないので、次のような問題点が生じる。すなわち、抜歯すべき歯牙が虫歯等のひ弱な場合には崩壊の限界を考慮して、それに応じて把持する力を加減すべきところ、先端部の把持する力の反力を手元で敏感に感得することができないので、結果的に把持する力が掛かり過ぎて歯牙の歯冠や歯根部が崩壊し、施術を中止せざるを得なくなるという問題点がある。
さらに、挺子と鉗子を交互に持ち替えて施術する方法は、施術の能率が上がらず、その上に煩わしいという問題点がある。
【先行技術文献】
【特許文献】
【０００５】
【特許文献１】特開平１１−２６７１３６号公報
【特許文献２】特開２００１−１９８１４２号公報
【特許文献３】特開２００７−１３５９４５号公報
【特許文献４】特開２００９−１１９０９５号公報  特許文献１，２は鉗子に関するもので、特許文献３，４は挺子に関するものであり、いずれの特許文献においても、挺子と鉗子の機能を、併せ持つ抜歯器具の記載も、またそれを示唆する記載も見当たらない。
【発明の概要】
【発明が解決しようとする課題】
【０００６】
解決しようとする問題点は、（１）挺子は抜歯施術時に先端部が施術部位から滑脱し、周辺の軟組織や歯槽骨を損傷するおそれがあるという点であり、（２）やっとこ型の鉗子は、歯牙を把持する部分と手で握って力を加える部分との距離が遠くなり勝ちで、把持する力を微妙に調節することが難しく、ときにはひ弱な歯牙を崩壊するおそれがあるという点であり、（３）挺子と鉗子を交互に使用して抜歯をする場合には、その持ち替えに時間が掛かり施術の能率が落ち、また煩わしいという点である。
【０００７】
本発明はこのような事情を背景としてなされたものであり、本発明者は種々研究を続けているうちに、弾性を有する部材の中間部で二つ折りにし、手で握り、あるいは緩めることにより先端部が閉じ、あるいは開くようにし、かつ両開放端側には歯冠を把持した状態で抜歯するようにした抜歯作用部を互いに対向して設け、しかも抜歯作用部は先端側が挺子の作用をする部分でこれに続く後端側の部分が鉗子の作用をする部分とする構成を着想し、本発明の完成に至ってものである。本発明の目的は、（１）挺子の機能と鉗子の機能を一つの器具で併せ持つようにして、器具を持ち替えなくても挺子の作用と鉗子の作用を行い得るようにした抜歯器具を提供することであり、（２）挺子の作用をさせる場合に先端部が施術部位から滑脱し、周辺の軟組織や歯槽骨を損傷するおそれを回避できる抜歯器具を提供することであり、（３）鉗子の作用をさせる場合に歯牙を把持する力を微妙に調節することができ、歯牙の崩壊を回避できる抜歯器具提供することである。
【課題を解決するための手段】
【０００８】
このような目的を達成するためになされた本発明は、次のように構成される。
Ａ  対をなして基端部から上方に延伸し、かつ左右に配置されるようにした両握り部は基端部側で一体に連結されると共に、両握り部の先端部にはそれぞれ互いに対向する抜歯作用部が設けられ、両握り部を手で握ることにより、基端部の弾性に抗して対向する両抜歯作用部が互いに接近し、手を緩めると基端部の弾性の復元力により両抜歯作用部が互いに離隔し、所定間隔を保持するようにした抜歯器具であって、抜歯作用部はその先端側に位置する挺子として作用する挺子作用部と該挺子作用部に連続して形成される鉗子として作用する鉗子作用部とを備え、挺子作用部は歯牙と歯槽骨との間に押し込み得る鋭利な先端部を有し、鉗子作用部は歯牙をその軸線に沿って挟持するための挟持部とを備えると共に前記挺子作用部と鉗子作用部は歯に沿い得るように内向きに断面が円弧状の凹部が形成され、かつ抜歯作用部の横幅は大、中、小のサイズのうちのいずれかである抜歯器具。    
Ｂ  Ａ項記載の抜歯器具において、両挺子作用部はその先端部が歯頸を越えて歯根側を把持し得ると共に歯根膜腔に押し込み得るように前記先端部が互いに接近する方向に若干内側に傾斜するようにした抜歯器具。          
Ｃ  Ａ項もしくはＢ項記載の抜歯器具において、 抜歯作用部の幅は大、中、小のサイズがそれぞれ４〜５ｍｍ、３〜４ｍｍ、２〜３ｍｍとされている抜歯器具。
Ｄ  Ａ項〜Ｃ項のいずれか１項に記載の抜歯器具において、抜歯器具自体はその中間部より先端側が左側もしくは右側に傾斜するようにした抜歯器具。
Ｅ  Ｄ項記載の抜歯器具において、抜歯器具自体の先端側が左側もしくは右側に傾斜した角度は約２０〜３０度である抜歯器具。
Ｆ  Ａ項〜Ｃ項のいずれか１項に記載の抜歯器具において、抜歯器具自体はその中間部で先端側が手前側もしくは背後側に傾斜するようにした抜歯器具。
Ｇ  F項記載の抜歯器具において、抜歯器具自体の中間部より先端側が手前側もしくは背後側へ傾斜した角度は約４５度である抜歯器具。
Ｈ  A項〜C項のいずれか１項に記載の抜歯器具において、抜歯器具自体はその中間部で左側もしくは右側に湾曲すると共にその先端部はさらに手前側もしくは背後側に傾斜するようにした抜歯器具。
Ｉ  Ｈ項記載の抜歯器具において、抜歯器具自体の全長の１／４の先端部側が左側もしくは右側に約１０度湾曲すると共にその先端部側は手前側もしくは背後側に約４５度傾斜するようにした抜歯器具。
Ｊ  Ａ項〜Ｉ項のいずれか１項に記載の抜歯器具において、抜歯器具自体は左側の握り部を中間部で２分した上側の部材と、右側の握り部を中間部で２分した上側の部材と、左右の両握り部をそれぞれ中間部で２分した下側の基端部側で弾性を有するそれぞれ別の部材とを含み、かつこれらが一体に接合されるようにした抜歯器具。  
Ｋ  Ａ項〜Ｊ項のいずれか１項に記載の抜歯器具において、一体に構成された両握り部に代えて両握り部は基端部で２分されると共に、両握り部は基端部側で互いに回動可能に連結されて先端部が左右に開閉可能となり、さらに両握り部間にばね部材を配置し、両握り部先端の抜歯作用部が互いに離隔する方向に付勢すると共に両握り部間に回動を限定する部分を設けて両抜歯作用部間が所定間隔を保持するようにした抜歯器具。
Ｌ  Ｋ項に記載の抜歯器具において、両握り部はそれぞれの基端部に設けた孔に共通するピンを挿入することにより互いに回動可能に連結され、あるいは基端部側に設けたヒンジにより回動可能に連結されるようにした抜歯器具。
Ｍ  Ｋ項もしくはＬ項記載の抜歯器具において、両握り部間のばね部材の配置を中止し、両握り部先端の抜歯作用部が互いに離隔する方向に付勢されることがないように構成した抜歯器具。
Ｎ  Ｋ項〜Ｍ項のいずれか１項に記載の抜歯器具において、対をなす両握り部は基端部側が太く先端側が細くされた握り部本体の先端部に抜歯作用部が設けられてなり、かつ両握り部は基端部側で回動可能に連結されてなる抜歯器具。
Ｏ  Ｎ項記載の抜歯器具において、握り部本体の先端部に別部材からなる抜歯作用部のチップを取り付けるようにした抜歯器具。
ここに、「挺子作用部に連続して形成される鉗子として作用する鉗子作用部」とは、挺子作用部の端部に鉗子作用部自体の端部が接した状態に挺子作用部が形成される場合に限らず、挺子作用部に鉗子作用部自体の一部が重なり合って鉗子作用部が形成される場合も含むものである。
【発明の効果】
【０００９】
本発明は（１）挺子の機能と鉗子の機能を一つの器具で併せ持つようにして、器具を持ち替えなくても挺子の作用と鉗子の作用を行い得るようにし、抜歯施術の能率を向上させると共に持ち替えの煩わしさを解消できる利点がある。
（２）挺子の作用をする両握り部の先端部は歯牙に沿い得る凹状部が形成され、かつ歯牙を両側から挟むので、先端部が施術部位から滑脱し、周辺の軟組織や歯槽骨を損傷するおそれを回避できる利点がある。（３）鉗子の作用をさせる場合に、本発明の抜歯器具の歯牙を挟持する部分と、手で力を加える部分とを近づけることができるので、歯牙を把持する力を微妙に調節することができ、虫歯等のひ弱な歯牙の崩壊を回避できる利点がある。
【図面の簡単な説明】
【００１０】
【図１】（イ）は本発明の一実施例の先端部を閉じた状態を示す一部を断面した正面図、（ロ）はその側面図、（ハ）は先端部を常態に開放した状態を示す正面図、（ニ）は図（イ）におけるＡ−Ａ拡大切断端面図、（ホ）は図（ロ）におけるＢ−Ｂ拡大断面図、（ヘ）と（ト）は本実施例の使用状態の説明図である。
【図２】（イ）〜（ハ）は同実施例の部分的寸法を変えた状態を示す変形例の説明図である。
【図３】（イ）〜（ロ）は本件発明の他の実施例の先端部を閉じた状態を示す正面図と側面図、（ハ）は図（イ）におけるＣ−Ｃ拡大切断端面図、（ニ）は同図（ロ）のＤ−Ｄ拡大断面図である。
【図４】（イ）〜（ハ）は同実施例の部分的寸法を変えた状態を示す変形例の説明図である。
【図５】（イ）〜（ロ）は本件発明のさらに他の実施例の先端を閉じた状態を示す正面図と側面図、（ハ）は図（イ）におけるＥ−Ｅ拡大切断端面図、（ニ）は同図（ロ）のＦ−Ｆ拡大断面図である。
【図６】（イ）、（ロ）は前記各実施例に適用できる別の異なる実施例の先端部を閉じた状態を示す正面図と側面図、（ハ）は同実施例の部分の説明図、（ニ）はさらにその変形例を示す説明図である。
【図７】（イ）は従来の鉗子の力の加わり方（作用原理）を示す模式的説明図、（ロ）は本実施例の抜歯器具のそれを示す模式的説明図である。
【図８】（イ）、（ロ）は、本件発明の前記実施例を変更したさらに別異の実施例を示す正面図と側面図、（ハ）は同側面図の各部位の切断端面図、（ニ）〜（リ）は同実施例の各部を示す部分説明図、（ヌ）は（イ）、（ロ）に示す実施例の１対の構成部材が開いた常態の様子を示す正面図である。
【図９】（イ）、（ロ）は握り部本体部を３次元方向に傾斜して構成した本件発明の他の実施例を示す一部を省略した部分正面図と部分側面図である。
【発明を実施するための形態】
【実施例】
【００１１】
以下図面に基づいて本発明の実施例を詳細に説明する。
図１において、１０は抜歯器具であり、弾性を有する部材（例えば，鋼鉄）で構成される。抜歯器具１０は基端部から対をなして延びる両握り部１１，１２の先端側には、同図（ホ）に示すように挺子作用部１４とこれに続く鉗子作用部１６とからなる抜歯作用部１８が対向してそれぞれ形成されている。両作用部１４，１６の境界は明確ではなく、互いに重なり合っているものと考えられる。
両握り部１１，１２を手で握ることにより、基端部の弾性に抗して対向する両抜歯作用部１８が互いに接近し、手を緩めると基端部の弾性の復元力により両抜歯作用部１８が互いに離隔し、所定間隔を保持するようにされている。同図（イ）は、手で握ることにより基端部側の弾性に抗して両抜歯作用部１８が互いに接近した状態を示す。同図（ハ）は手を緩めて両抜歯作用部１８間が開いた状態を示す。両抜歯作用部１８間の最大開口は通常３０ｍｍ程度とされている。なお、基端部側は、手で撓ませ得るように肉厚を薄くすると共に、強度を保持するために幅を広くされ、先端に向かうにつれて幅が狭くなるようにされている。
【００１２】
挺子作用部１４は歯と歯槽骨との間（歯根膜腔）に刺し込み得る鋭利な先端部を有し、鉗子作用部１６は歯をその軸線に沿って挟持するための挟持部を備えると共に、前記挺子作用部１４と鉗子作用部１６とを備えた抜歯作用部１８は同図（ニ）に示すように、それぞれ歯に沿い得るように内向きに断面が円弧状の凹部１９が形成されている。さらに両握り部１１，１２先端の両挺子作用部１４は、同図（ホ）に示すように先端部が互いに接近する方向に若干内側に傾斜して構成される。これは、同図（ヘ）、（ト）に示すように、歯牙２０，２１の歯頸を跨いでこれより細い歯根周辺の歯根膜腔に抜歯作用部１８の先端を刺し込むことができるようにしたものである。もし、両抜歯作用部１８同士が平行であるとすれば、その先端部を歯根膜腔に差し込むこができないからである。
【００１３】
以上のように構成された実施例の抜歯器具１０は、握り部の先端側に挺子として機能する挺子作用部と鉗子として機能する鉗子作用部を備えているので挺子と鉗子をいちいち持ち替えなくても挺子として、鉗子として使用でき、抜歯施術の能率を向上させると共に持ち替えの煩わしさを解消できる。また、挺子の作用をする両握り部の先端部は歯牙に沿い得る凹状部が形成され、かつ歯牙を両側から挟むので、先端部が施術部位から滑脱し、周辺の軟組織や歯槽骨を損傷するおそれを回避できる。さらに、鉗子の作用をさせる場合に、本実施例の抜歯器具の歯牙を挟持する部分と、手で力を加える部分とを近づけることができるので、歯牙を把持する力を微妙に調節することができ、虫歯等のひ弱な歯牙の崩壊を回避できる。
【００１４】
例えば、従来の鉗子１は図７（イ）に示すように、中間部に関節ピンすなわち、支点Ｓを有するやっとこ型であるのに対し、本実施例の抜歯器具１０は力の加え方からみれば、図７（ロ）に示すように支点Ｗが末端にある和式はさみ型である。力点Ｔ、Ｖは手で力を加える点であり、作用点Ｒ、Ｕは歯に力が掛かる点である。図から判るように従来の鉗子１は、作用点と力点とが遠いので、先端部を施術対象の歯にあてがいにくく使用し難いが、本実施例の抜歯器具１０は作用点と力点とが近いので、先端部を歯にあてがい易く使用が容易である。
【００１５】
いま、図７（イ）において、力点Ｔに掛かる力をＥ、作用点Ｒに掛かる力をＰとし、支点Ｓと作用点Ｒとの距離をＬ１、支点Ｓと力点Ｔとの距離をＬ２とすると、Ｐ×Ｌ１＝Ｅ×Ｌ２ の関係が成り立つ。よって、
Ｐ＝Ｅ×Ｌ２  ／Ｌ１ …… （１）
一方、図７（ロ）において、同じく力点Ｖに掛かる力をＦ、作用点Ｕに掛かる力をＱとし、支点Ｗと作用点Ｕとの距離をＬ３、支点Ｗと力点Ｖとの距離をｌ４とすると、
Ｑ×Ｌ３＝Ｆ×Ｌ４ となる。よって、
Ｑ＝Ｆ×Ｌ４／Ｌ３  ……（２）
図７（イ）から判るように、Ｌ２  ／Ｌ１  は１より大きいので（１）式から従来の鉗子では、Ｐが増力されることが理解できる。一方、図７（ロ）から判るように、Ｌ４／Ｌ３ は１より小さいので、（２）式から本実施例の抜歯器具では、Ｑは減力されることが理解できる。。しかもＬ４ はＬ３ に近づけることができるので、（２）式から歯を挟持する力Ｑの大きさを抜歯器具に加わる手の力の大きさＦに近づけることが可能となることが判る。
従って、抜歯器具先端の歯を挟持する力の反力を手元で敏感に感得できるので、これに対応して歯を把持する力を微妙に調節することができ、歯を圧壊したりすることを防止できる。
【００１６】
抜歯作用部は横幅のサイズが大、中，小のものが使用される。図２（イ）〜（ハ）は各抜歯器具２４，２６，１０の抜歯作用部２８，３０，１８のサイズを小、中、大とした例を示す。ここでは、横幅サイズをそれぞれ、２〜３  ｍｍ，３ないし４ｍｍ，４〜５ｍｍとした。歯頸の大きさに応じて選択して使用する。なお、各抜歯器具２４，２６は抜歯作用部２８，３０のサイズが異なることを除けば他は、図１に示す抜歯器具１０の構成と同様である。図２（ハ）は、図１に示す実施例の抜歯器具の概略図である。
【００１７】
図３は本願発明の他の実施例を示す。３２は抜歯器具であり、基端部から対をなして握り部３３，３４が延伸し、その先端側には挺子作用部３６と鉗子作用部３８とを備えた抜歯作用部４０を有し（同図（ニ）参照）、かつその内側には歯に沿い得るように内向きに断面が円弧状の凹部４２が形成され（同図（ハ）参照）ており、前記抜歯器具１０と略同様な構成をなしているが、握り部３３，３４は中間部で図上左側に湾曲している（同図（イ）参照）点で相違している。構成は抜歯器具１０と似ているので、略同様な利点を有する。本実施例は施術者が見にくい位置にある歯や前記抜歯器具１０では扱い難い歯の抜歯用に適する利点がある。
【００１８】
ここでも、抜歯作用部は横幅のサイズが大、中，小のものが使用される。図４（イ）〜（ハ）は各抜歯器具４４，４６，３２の抜歯作用部４８，５０，４０のサイズを小、中、大とした例を示す。なお、各抜歯器具４４，４６は抜歯作用部４８，５０のサイズが異なることを除けば他は、図３に示す抜歯器具３２の構成と同様である。
【００１９】
図５は本願発明の他の実施例を示す。５４は抜歯器具であり、基端部から対をなして握り部５５，５６が延伸し、抜歯器具５４の全長の先端側１／４で左に湾曲すると共に、その先端側はさらに同図紙面上の手前側に約４５度傾斜したものである。その先端側には挺子作用部５８と鉗子作用部６０とを備えた抜歯作用部６２を有し（同図（ニ）参照）、かつその内側には歯に沿い得るように内向きに断面が円弧状の凹部６４が形成されている（同図（ハ）参照）。前記各実施例と似た構成を有するので、本実施例の抜歯器具は同様な利点を有する。施術者から見がたく、作業がし難い位置の歯の抜歯用に適する。
ここでも、前記各実施例と同様に抜歯作用部は横幅のサイズが大、中，小のものが使用される。
前記各実施例では１対の各握り部は同一材質で一体に構成されているが、これに代えて、抜歯器具自体は左側の握り部を中間部で２分した上側の部材と、右側の握り部を中間部で２分した上側の部材と、左右の両握り部をそれぞれ中間部で２分した下側の基端部側で弾性を有するそれぞれ別の部材とを含み、かつこれらが一体に接合されるように構成してもよい。
【００２０】
図６は本願発明の他の実施例を示す。抜歯器具６８は図１に示す実施例の抜歯器具１０と同様な構成であるが、抜歯器具１０は握り部１１，１２が基端部側で一体に連結され、かつ弾性を有する部材からなり、常時は先端部は拡開しているのに対し、抜歯器具６８は握り部７０，７２は基端部側で２分され、互いに回動可能に連結されると共に拡開ばね７６ににより常時開くようにされている点のみで異なる。連結手段は、例えば、同図（ハ）に示すように一方の連結部に形成された凹部に他方の連結部に形成された凸部を嵌め入れ、それぞれの横孔ｈに共通するピン７４を挿入して、両者を回動可能に連結する。あるいは、同図（ニ）に示すようにそれぞれの連結部に互い違いに突き出した突出部を設け、各横孔ｈにピン７８を挿入すれば、回動可能となる。
【００２１】
本実施例は両握り部が一体か、別体かの点で、前記各実施例と相違するだけであるから、他の実施例の抜歯器具にも適用可能である。よって、他の実施例と同様な効果を奏する。しかし、１対の両握り部は別体で構成され、弾性を有する材質のものに限定されないので、材質選定の範囲が広くなり、また製造が容易になるという利点がある。さらに、拡開ばねの採用を中止すれば、常時先端部が開いていることはないので、歯の施術によっては好都合なこともある。
【００２２】
図８は本願発明のさらに他の実施例を示す。図６に示す実施例の変形例である。抜歯器具８２は、図８（イ）に示すように上方に伸びる１対の握り部８４，８５が左右に配置されると共に、各上端部にはそれぞれ挺子作用部と鉗子作用部とを備えた抜歯作用部８６を設けた点では、図６に示す抜歯器具と同様に構成されている。なお、両握り部の基端部は下端側に延び、連結突部８７，８８が形成されるが、連結突部８７，８８は同図（へ）〜（リ）に示すように、下方側と横方向に延びて平坦状をなすと共に重ね合わされ、ピン８９を挿通することにより互いに回動可能に連結される。また、同図（ヌ）に示すように両握り部の内側に形成された溝９０，９１内に配置された拡開ばね９２により、常時握り部先端が開くように付勢されている。但し、握り部のあごの部分９３が反対側の握り部の肩の部分９４に当接して握り部先端の拡開を一定限度に制限している。なお、拡開ばね９２の設置を止めれば、抜歯器具は先端部を閉じれば閉じた状態を維持し、開けば開いた状態を維持することになる。このような特性を持つことは、施術によっては好都合なこともある。
また、本実施例では、上方に伸び、左右に配置された両握り部８４．８５は中間部で背後側に傾斜している。奥歯等の手の届き難い個所の使用が容易である。また、握り部の本体部が同図（ハ）に示すように、断面が半楕円状をなすと共におおよそ基端部側が太く、先端部側が細くされているが、中間部が少し細くされている。従って、手の握り部分の当たりが軟らかく手の疲労が少ないという利点がある。なお、抜歯作用部８６の歯幅は前記各実施例のように大、中、小のサイズのものが使用される。
【００２３】
図９は抜歯作用部の図示を省略した他の実施例を示す。前記実施例と基本的な構成は似ているが、上方に伸び、左右に配置された両握り部が中間部で左に湾曲し、さらに先端部側が背後に傾斜するようにした他の抜歯器具９６の実施例を示す。種々の方向に湾曲したり、傾斜したりするものを構成することが可能である。
また、図８，図９に示す本実施例では、握り部先端に抜歯作用部を一体に設けたものであるが、抜歯作用部を別部材のチップとし、握り部本体の先端に取り付けるようにしてもよい。例えば、握り部本体をアルミ合金製とし、チップを強度の高い材質とすれば、軽量で耐久性を向上させることができ、製造コストを安くできる利点がある。
以上本願発明のいくつかの実施例を説明したが、このような実施例に何ら限定されるものではなく、本願発明の要旨を逸脱しない範囲において種々なる態様で実施し得ることは勿論である。
【符号の説明】
【００２４】
１０，２４，２６，３２，４４，５４，６８，８２，９６…抜歯器具
１１，１２，３３，３４，５５，５６，７０，７２，８４，８５…握り部
１４，３６，５８…挺子作用部
１６，３８，６０…鉗子作用部  
１８，２８，３０，４０，４８，６２，８６…抜歯作用部
１９，４２，６４…凹部
【図１】
2012029897.tif 000003
【図２】
2012029897.tif 000004
【図３】
2012029897.tif 000005
【図４】
2012029897.tif 000006
【図５】
2012029897.tif 000007
【図６】
2012029897.tif 000008
【図７】
2012029897.tif 000009
【図８】
2012029897.tif 000010
【図９】
2012029897.tif 000011